(57)【要約】【課題】  接続口に対する給湯ホースの誤接続状態を防止する洗濯機を提供する。【解決手段】  給湯ホースと接続するための給湯側接続口２０と、給水ホースと接続するための水道側接続口２１と、給湯側接続口２０と連通し、水槽４内に温水を供給制御するための給湯側給水弁２２と、水道側接続口２１と連通し、水槽４内に水道水を供給制御するための水道側給水弁２５と、給湯側給水弁２２及び水道側給水弁２５と連通し、水槽４内に温水、水道水、およびこれらの混合水を供給するための共通の流路となる洗剤ケース２４と、水温を検知するためのサーミスタ２７とを備え、検知温度に基づいて、少なくとも給湯側接続口２０に対する給水ホースの誤接続状態、又は前記水道側接続口２１に対する給湯ホースの誤接続状態を判断し、前記したいずれかの誤接続状態を使用者に対し報知する構成とした。【選択図】  図４
2009066190.tif 000002
【特許請求の範囲】
【請求項１】
外箱と、
前記外箱内に設けられた水槽と、
前記水槽内に回転可能に設けられ被洗浄物を収容する回転槽と、
給湯ホースと接続するための給湯側接続口と、
給水ホースと接続するための水道側接続口と、
前記給湯側接続口と連通し、前記水槽内に温水を供給制御するための給湯側給水弁と、
前記水道側接続口と連通し、前記水槽内に水道水を供給制御するための水道側給水弁と
、
前記給湯側給水弁及び前記水道側給水弁と連通し、前記水槽内に温水、水道水、および
これらの混合水を供給するための共通の流路となる給水経路と、
前記給水経路の水温を検知するための温度検知手段と、
前記温度検知手段による検知温度に基づいて、少なくとも前記給湯側接続口に対する給
水ホースの誤接続状態、又は前記水道側接続口に対する給湯ホースの誤接続状態を判断す
る誤接続状態判断手段と、
前記したいずれかの誤接続状態を使用者に報知する誤接続状態報知手段とを備えたこと
を特徴とする洗濯機。
【請求項２】
外箱と、
前記外箱内に設けられた水槽と、
前記水槽内に回転可能に設けられ被洗浄物を収容する回転槽と、
給湯ホースと接続するための給湯側接続口と、
給水ホースと接続するための水道側接続口と、
前記給湯側接続口と連通し、前記水槽内に温水を供給制御するための給湯側給水弁と、
前記水道側接続口と連通し、前記水槽内に水道水を供給制御するための水道側給水弁と
、
前記給湯側給水弁と連通し、前記水槽内に温水を給水するための給湯経路と、
前記水道側給水弁と連通し、前記水槽内に水道水を給水するための給水経路と、
前記給湯経路及び前記給水経路の水温を検知するための温度検知手段と、
前記温度検知手段による検知温度に基づいて、少なくとも前記給湯側接続口に対する給
水ホースの誤接続状態、又は前記水道側接続口に対する給湯ホースの誤接続状態を判断す
る誤接続状態判断手段と、
前記したいずれかの誤接続状態を使用者に報知する誤接続状態報知手段とを備えたこと
を特徴とする洗濯機。
【請求項３】
外箱と、
前記外箱内に設けられた水槽と、
前記水槽内に回転可能に設けられ被洗浄物を収容する回転槽と、
給湯ホースと接続するための給湯側接続口と、
給水ホースと接続するための水道側接続口と、
前記給湯側接続口と連通し、前記水槽内に温水を供給制御するための給湯側給水弁と、
前記水道側接続口と連通し、前記水槽内に水道水を供給制御するための水道側給水弁と
、
前記給湯側給水弁と連通し、前記水槽内に温水を給水する給湯経路と、
前記水道側給水弁と連通し、前記水槽内に給水する給水経路と、
前記水槽に設けられ、水温を検知する温度検知手段と備え、
温度検知手段による検知温度に基づいて、少なくとも前記給湯側接続口に対する給水ホ
ースの誤接続状態、又は前記水道側接続口に対する給湯ホースの誤接続状態を判断する誤
接続状態判断手段と、前記したいずれかの誤接続状態を使用者に報知する誤接続状態報知
手段とを備えたことを特徴とする洗濯機。
【請求項４】
誤接続状態判断手段が前記したいずれかの誤接続状態と判断した場合に、洗濯運転を停
止することを特徴とする請求項１ないし３のいずれかに記載の洗濯機。
【請求項５】
給湯器等からの温水、水道水、又はこれらの混合水を前記水槽内に給水して実行する洗
濯コースをそれぞれ備え、温水及び水道水による洗濯コースおいては、洗い行程における
給水時に誤接続状態であるか判断し、混合水による洗濯コースにおいては、濯ぎ行程にお
ける給水時に誤接続状態であるか判断することを特徴とする請求項１ないし３のいずれか
に記載の洗濯機。
【請求項６】
誤接続状態判断手段により誤接続状態と判断した場合に、記憶手段に誤接続状態を記憶
させ、次回電源投入時に誤接続状態報知手段により誤接続状態を報知することを特徴とす
る請求項１ないし３のいずれかに記載の洗濯機。
【発明の詳細な説明】
【技術分野】
【０００１】
本発明は、給湯器等から温水を供給して洗濯を行う洗濯機に関する。
【背景技術】
【０００２】
従来、洗浄効果を向上させるために、温水による洗濯が行われているが、温水にて洗濯
するための構成として、給湯器等にて生成した温水を洗濯機に供給する方法が一般に行わ
れている。このような洗濯機においては、給湯側接続口及び給湯側給水弁が給湯器等と、
水道側接続口及び水道側給水弁が水道と接続され、これらの給水弁を制御することで任意
の温度の温水による洗濯運転を実行可能にしている。しかし、一般に、これらの接続口の
形状は同じであることが多く、給湯器からの給湯ホースを誤って水道側接続口に接続した
り、水道からの給水ホースを誤って給湯側接続口に接続したりすることがあった。その接
続間違いの結果として、所望の水温以上の温水で洗濯運転することとなって衣類を傷めて
しまうおそれや、水道側接続口及び水道側給水弁には耐熱処理が施されていないため給湯
器からの温水が供給されることによりこれらの部品の寿命低下を引き起こすおそれがあっ
た。
【０００３】
これに対し、給湯側給水弁及び水道側給水弁のそれぞれに温度検知手段を設け、給湯側
給水弁から供給された水温が水道側給水弁から供給された水温よりも低い場合、接続間違
いと判断し、温水行程を一時停止し異常表示することで、接続間違いを使用者に報知する
洗濯機が提案されている（例えば、特許文献１参照。）。
【０００４】
一方、第１及び第２の両給水弁に対する接続ホースの接続が誤っていたときには、それ
ら両給水弁への開放選択を逆にし、結果的に水、湯の供給が正しく行われるようにするこ
とで、衣類を傷めることを防止できる洗濯機が提案されている（例えば、特許文献２参照
。）。
【特許文献１】特開平６−１２６０８３号公報（第５図）
【特許文献２】特開平６−３３５５９３号公報（第１図）
【発明の開示】
【発明が解決しようとする課題】
【０００５】
しかしながら、上記特許文献１及び２に記載の洗濯機では、温度検知手段であるサーミ
スタを給湯側と給水側の両方に設ける必要があるため、部品のコストがかかっていた。
【０００６】
また、上記特許文献２に記載の洗濯機では、誤接続状態でもそのまま洗濯運転を実行し
ようとするため、使用者が誤接続状態を認識することができず、次回も誤接続状態で洗濯
運転が実行されるため、水道側接続口及び水道側給水弁の熱劣化による不具合を防止する
ために、耐熱性に優れた高価な材料を使用しなくてはならなかった。
【０００７】
本発明は上述の事情に鑑みてなされたものであり、従ってその目的は、前記給湯側接続
口に対する給水ホースの誤接続、又は前記水道側接続口に対する給湯ホースの誤接続を使
用者に報知して誤接続状態が放置されることを防止する洗濯機を提供することにある。
【課題を解決するための手段】
【０００８】
上記目的を達成するために、本発明の請求項１記載の洗濯機は、外箱と、前記外箱内に
設けられた水槽と、前記水槽内に回転可能に設けられ被洗浄物を収容する回転槽と、給湯
ホースと接続するための給湯側接続口と、給水ホースと接続するための水道側接続口と、
前記給湯側接続口と連通し、前記水槽内に温水を供給制御するための給湯側給水弁と、前
記水道側接続口と連通し、前記水槽内に水道水を供給制御するための水道側給水弁と、前
記給湯側給水弁及び前記水道側給水弁と連通し、前記水槽内に温水、水道水、およびこれ
らの混合水を供給するための共通の流路となる給水経路と、前記給水経路の水温を検知す
るための温度検知手段と、前記温度検知手段による検知温度に基づいて、少なくとも前記
給湯側接続口に対する給水ホースの誤接続状態、又は前記水道側接続口に対する給湯ホー
スの誤接続状態を判断する誤接続状態判断手段と、前記したいずれかの誤接続状態を使用
者に報知する誤接続状態報知手段とを備えたことを主な特徴とする。
【発明の効果】
【０００９】
本発明によれば、使用者に誤接続状態の修正を促すことができ、誤接続状態の継続を防
止することができる。
【発明を実施するための最良の形態】
【００１０】
以下、本発明の一実施例について図１ないし図６を参照して説明する。図１には、縦型
の洗濯乾燥機の縦断側面図が示されている。この図１において、外箱１は矩形筒状をなし
ていて、この外箱１と、外箱１の上部に装着されたトップカバー２とにより、洗濯機の外
殻が形成されている。外箱１の下面には脚部３が設けられている。
【００１１】
外箱１内には、貯水可能な水槽４が吊り棒５ａを主体とする弾性吊持機構５を介して外
箱１に弾性的に支持されている。そして、この水槽４の内部には、周壁部に多数の透孔６
を有した回転槽７が回転可能に配設されている。水槽４及び回転槽７は、共に有底円筒状
をなしていて、それぞれの軸中心線が上下方向に指向する縦軸状に配置されている。また
、回転槽７の上端開口部の周縁部には、回転バランサ８が設けられている。
【００１２】
回転槽７内の底部にはパルセータ９が回転可能に配設され、水槽４の外底部には駆動装
置１０が配設されている。この駆動装置１０は、正逆回転可能なＤＣブラシレスタイプの
モータ１１と、図示しないクラッチ機構などを備えていて、パルセータ９と回転槽７とを
選択的に回転駆動する構成となっている。水槽４の上面には、環状をなす水槽カバー１２
が設けられている。
【００１３】
上記トップカバー２には、洗濯物出入口１３が形成されているとともに、この洗濯物出
入口１３を開閉する蓋１４が、後部側のヒンジ１４ａを介して回動可能に設けられている
。蓋１４は、この場合２つ折り式となっている。
【００１４】
水槽５の底部には、排水口１５が形成されており、この排水口１５から延設された排水
経路１６には排水弁１７が配設されており、その排水弁１７の下流には排水ホースが接続
可能な構成となっている。そして、電磁弁からなる排水弁１７を開閉駆動することにより
、水槽４に貯水された洗濯水が排水経路１６及び排水ホースを介して排出される。
【００１５】
図２に示すように、トップカバー２の前部上面には、洗濯機の運転操作をするための操
作パネル１８が設けられている。
【００１６】
操作パネル１８には、各種選択コースの設定を行うための操作キー１８ａと、洗濯時間
等を表示する表示部１８ｂとから構成されている。この操作パネル１８を形成するトップ
カバー２の内方には制御手段たる制御回路１９（図３参照）を含んだ電子ユニットが配設
されている。
【００１７】
また、トップカバー２の後方には、給湯器等に接続するための給湯ホースを取り付け可
能な給湯側接続口２０、水道に接続するための給水ホースを取り付け可能な水道側接続口
２１が形成されている。そして、この給湯側接続口２０の下流側には給湯側給水弁２２が
配設され、給湯器等から供給される温水が給湯経路２３を介して略矩形状の洗剤ケース２
４に至るよう構成されている。一方、この水道側接続口２１の下流側には水道側給水弁２
５が配設され、水道から供給される水が給水経路２６を介して洗剤ケース２４に至るよう
構成されている。したがって、洗剤ケース２４は、温水、水道水、及びこれらの混合水の
共通の流路となる給水経路であり、給湯側接続口２０及び水道側接続口２１を開放した場
合には、給水洗剤ケース２４内で温水と水道水とが混合され、洗剤ケース２４から水槽４
内に混合水が供給される。
【００１８】
この洗剤ケース２４の底部には、温度検知手段たるサーミスタ２７が設けられている。
このサーミスタ２７により洗剤ケース２４内の水の温度が検知可能となっている。
【００１９】
なお、給湯側接続口２０には、外部接続された給湯器から４５〜５５℃程度の温水が水
槽４内に供給可能となっている。
【００２０】
図３は洗濯機の電気的ブロック図を示している。操作キー１８ａへ入力された洗濯運転
に関する入力情報は、制御回路１９へと送られる。また、詳細は図示しないが、水槽４に
は、水槽４自身と連通して水槽４内の水位を検知する水位センサ２９が設けられており、
常時水位情報が制御回路へと送られている。さらに、上述したサーミスタ２７による温度
情報も制御回路へと送られている。この制御回路１９とサーミスタ２７とはともに誤接続
状態判断手段を構成している。さらに、モータ１１には、モータの回転数又は位置を検知
するホールＩＣ等から成る回転センサ３０が取り付けられており、回転センサ３０により
検知したモータ１１の回転数及び位置情報が制御回路１９へと送られている。
【００２１】
一方、制御回路１９は、駆動回路２８を介して表示部１８ｂ、ブザー３１、給湯側給水
弁２２、水道側給水弁２５、モータ１１、排水弁１７と電気的に接続されている。そして
、制御回路１９は、洗濯運転情報を表示部１８ｂに表示するよう構成されている。さらに
、制御回路１９には、ブザー３１が接続されている。表示部１８ｂ及びブザー３１はとも
に誤接続状態報知手段として機能するものである。制御回路１９は、不揮発性の記憶手段
としてＥＥＰＲＯＭ３２を有している。
【００２２】
次に、洗濯機の制御内容について説明する。本洗濯機の洗濯運転は、少なくとも、洗濯
行程、排水行程、脱水行程、濯ぎ行程、排水行程、脱水行程から構成され、この順に実行
される。
【００２３】
電源が投入されると、操作キー１８ａを操作することにより、水位、洗濯時間、濯ぎ時
間、脱水時間等の洗濯条件の異なる複数の洗濯コースが選択でき、また、コース毎に上記
洗濯条件の設定が可能となっている。その洗濯条件の１つとして、本洗濯機は、給湯器か
らの温水のみを用いて洗濯する「ＨＯＴコース」、水道水のみを用いて洗濯する「ＣＯＯ
Ｌコース」、及び給湯器からの温水及び水道水の混合水を用いて洗濯する「ＷＡＲＭコー
ス」というように、洗浄水の温度が異なる３種類のコースを選択可能に構成されている。
以下、コース毎に説明する。
【００２４】
図４に示すように、「ＨＯＴコース」が選択され、洗濯運転が開始されると、制御回路
１９はＥＥＰＲＯＭ３２の誤接続状態フラグを確認し（ステップＳ１）、フラグ＝「１」
である場合には（ステップＳ１：ＹＥＳ）、表示部１８ｂにより誤接続状態である旨を表
示するとともに、ブザー３１を鳴動させることで使用者に誤接続状態であることを異常報
知する（ステップＳ２）。そして、誤接続フラグを「０」とし（ステップＳ３）、布量検
知に移行する（ステップ４）。ここでの布量検知は、例えばモータ１１に所定時間通電し
てパルセータ９を一方向に回転させたときの、そのモータ１１の回転数を回転センサ３０
により検知することによって行うもので、回転槽７内の布量が多いほどモータ１１の負荷
量が大きくなってその回転数が少なくなるから、この回転数を検知することによって布量
の検知ができる。
【００２５】
一方、フラグ＝「０」である場合には（ステップＳ１：ＮＯ）、誤接続フラグを「０」
に維持し（ステップＳ３）、異常報知せずに次ステップである布量検知に移行する（ステ
ップＳ４）。
【００２６】
次いで、給湯側給水弁２２のみを開放して（ステップＳ５）、水槽４内に温水を給水し
、サーミスタ２７により水温Ｔｈを検知した結果（ステップＳ６）、水温Ｔｈが４３度以
上であれば（ステップＳ６：ＹＥＳ）、水位センサ２９からの検知信号により水槽４内の
水位が設定水位まで達したかどうか判断し（ステップＳ８）、設定水位まで達していれば
（ステップＳ８：ＹＥＳ）、給湯側給水弁２２を閉塞して給水を終了する（ステップＳ９
）。そして、パルセータ９の正逆回転による洗濯物の洗い動作へと移行し（ステップＳ１
０）、順次、排水弁１７を開放することによる排水動作（ステップＳ１１）、および排水
弁１７を開放したままで回転槽７を回転させる脱水動作（ステップＳ１２）を実行し、図
５のＡ以下の濯ぎ行程に進む。
【００２７】
一方、ステップＳ６にて、水温Ｔｈが４３度未満である場合には（ステップＳ６：ＮＯ
）、給湯側接続口２０に給水ホースが誤って接続されていると判断して、異常報知を行う
（ステップＳ１３）。具体的には、表示部１８ｂにより誤接続状態である旨を表示すると
ともに、ブザー３１を鳴動させることで使用者に誤接続状態であることを報知する。さら
に、ＥＥＰＲＯＭ３２には、誤接続フラグを「０」から「１」と変更して記憶する（ステ
ップＳ１４）。これにより、電源が切られた場合にも、電源再投入後の洗濯運転時には、
ステップＳ１にて誤接続フラグが「１」であるか確認され、「１」であれば異常報知され
ることになる（ステップＳ２）。
【００２８】
なお、ステップ５の給湯が開始されてからステップＳ８にて設定水位までの給水が完了
するまでの間、水温Ｔｈが６０度以上でないか常にサーミスタ２７により検知しており（
ステップＳ７）、水温が６０度以上であると検知された場合には（ステップＳ７：ＹＥＳ
）、ステップＳ２と同様に異常を報知し（ステップＳ１５）、洗濯運転の途中で運転を停
止する（ステップＳ１６）。
【００２９】
図５は図４で示した洗濯行程に続く濯ぎ行程および脱水行程を示している。この濯ぎ行
程においては給湯側給水弁２２は閉塞のままで、水道側給水弁２５を開放し（ステップＳ
２１）、濯ぎ行程を水道水により実行するために水槽４内に水道水のみを給水する。ここ
で、サーミスタ２７により水温Ｔｈを検知した結果（ステップＳ２２）、水温Ｔｈが４３
度未満であれば（ステップＳ２２：ＮＯ）、水位センサ２９からの検知信号により水槽４
内の水位が設定水位まで達したかどうか判断し（ステップＳ２３）、設定水位まで達して
いれば（ステップ２３：ＹＥＳ）、水道側給水弁２５を閉塞して水槽４内への給水を終了
する（ステップＳ２４）。そして、パルセータ９の正逆回転による洗濯物の濯ぎ動作へと
移行し（ステップＳ２５）、順次、排水弁１７を開放することによる排水動作（ステップ
Ｓ２６）、および排水弁１７を開放したままで回転槽７を回転させる脱水動作（ステップ
Ｓ２７）を実行した後、洗濯運転を終了する。
【００３０】
一方、ステップＳ２２にて、水温Ｔｈが４３度以上である場合には（ステップＳ２２：
ＹＥＳ）、水道側接続口２１に給湯ホースが誤って接続されていると判断して、まず異常
報知を行う（ステップＳ２８）。具体的には、表示部１８ｂにより誤接続状態である旨を
表示するとともに、ブザー３１を鳴動させることで使用者に誤接続状態であることを報知
する。さらに、ＥＥＰＲＯＭ３２には、誤接続フラグを「０」から「１」と変更して記憶
し（ステップＳ２９）、洗濯運転を停止する（ステップＳ３０）。これにより、電源が切
られた場合にも、電源再投入後の洗濯運転時には、ステップＳ１にて誤接続フラグが「１
」であるか確認され、「１」であれば異常報知されることになる（ステップＳ２）。
【００３１】
次に、図６を参照して、「ＷＡＲＭコース」について説明する。「ＷＡＲＭコース」が
選択され、洗濯運転が開始されると、制御回路１９はＥＥＰＲＯＭ３２の誤接続状態フラ
グを確認し（ステップＳ４１）、フラグ＝「１」である場合には（ステップＳ４１：ＹＥ
Ｓ）、表示部１８ｂにより誤接続状態である旨を表示するとともに、ブザー３１を鳴動さ
せることで使用者に誤接続状態であることを異常報知する（ステップＳ４２）。そして、
誤接続フラグを「０」とし（ステップＳ４３）、布量検知に移行する（ステップ４４）。
【００３２】
一方、フラグ＝「０」である場合には（ステップＳ４１：ＮＯ）、誤接続フラグを「０
」に維持し（ステップＳ４３）、異常報知せずに次ステップである布量検知に移行する（
ステップＳ４４）。
【００３３】
次いで、給湯側給水弁２２及び水道側給水弁２５を同時に開放して（ステップＳ４５）
、水槽４内に給湯器等からの温水と水道水の混合水を給水し、水位センサ２９からの検知
信号により水槽４内の水位が設定水位まで達したかどうか判断し（ステップＳ４７）、設
定水位まで達していれば（ステップＳ４７：ＹＥＳ）、給湯側給水弁２２及び水道側給水
弁２５を閉塞して給水を終了する（ステップＳ４８）。そして、その後は「ＨＯＴコース
」と同様に、パルセータ９の正逆回転による洗濯物の洗い動作へと移行し（ステップＳ４
９）、順次、排水弁１７を開放することによる排水動作（ステップＳ５０）、および排水
弁１７を開放したままで回転槽７を回転させ脱水動作（ステップＳ５１）を実行し、図５
のＡ以下の濯ぎ行程に進み、前述のように濯ぎ行程と脱水行程を順次実行して洗濯運転を
終了する。
【００３４】
一方、ステップ４５の給水が開始されてからステップＳ４７にて設定水位までの給水が
完了するまでの間、水温Ｔｈが６０度以上でないか常にサーミスタ２７により検知してお
り（ステップＳ４６）、水温が６０度以上であると検知された場合には（ステップＳ４６
：ＹＥＳ）、ステップＳ２と同様に異常を報知し（ステップＳ５２）、洗濯運転の途中で
運転を停止する（ステップＳ５３）。
【００３５】
次に、図７を参照して、「ＣＯＯＬコース」について説明する。「ＣＯＯＬコース」が
選択され、洗濯運転が開始されると、制御回路１９はＥＥＰＲＯＭ３２の誤接続状態フラ
グを確認し（ステップＳ６１）、フラグ＝「１」である場合には（ステップＳ６１：ＹＥ
Ｓ）、表示部１８ｂにより誤接続状態である旨を表示するとともに、ブザー３１を鳴動さ
せることで使用者に誤接続状態であることを異常報知する（ステップＳ６２）。そして、
誤接続フラグを「０」に維持し（ステップＳ６３）、布量検知に移行する（ステップ６４
）。
【００３６】
一方、フラグ＝「０」である場合には（ステップＳ６１：ＮＯ）、誤接続フラグを「０
」とし（ステップＳ６３）、異常報知せずに次ステップである布量検知に移行する（ステ
ップＳ６４）。
【００３７】
次いで、水道側給水弁２５のみを開放して（ステップＳ６５）、水槽４内に水道水を給
水し、サーミスタ２７により水温Ｔｈを検知した結果（ステップＳ６６）、水温Ｔｈが４
３度未満であれば（ステップＳ６６：ＹＥＳ）、水位センサ２９からの検知信号により水
槽４内の水位が設定水位まで達したかどうか判断し（ステップＳ６７）、設定水位まで達
していれば（ステップＳ６７：ＹＥＳ）、水道側給水弁２５を閉塞して給水を終了する（
ステップＳ６８）。そして、その後は「ＨＯＴコース」と同様に、パルセータ９の正逆回
転による洗濯物の洗い動作へと移行し（ステップＳ６９）、順次、排水弁１７を開放する
ことによる排水動作（ステップＳ７０）、および排水弁１７を開放したままで回転槽７を
回転させ脱水動作（ステップＳ７１）を実行し、図５のＡ以下の濯ぎ行程に進み、前述の
ように濯ぎ行程と脱水行程を順次実行して洗濯運転を終了する。
【００３８】
一方、ステップＳ６６にて、水温Ｔｈが４３度以上である場合には（ステップＳ６６：
ＮＯ）、水道側接続口２０に給湯ホースが誤って接続されていると判断して、異常報知を
行う（ステップＳ７２）。具体的には、表示部１８ｂにより誤接続状態である旨を表示す
るとともに、ブザー３１を鳴動させることで使用者に誤接続状態であることを報知する。
さらに、ＥＥＰＲＯＭ３２には、誤接続フラグを「０」から「１」と変更して記憶する（
ステップＳ７３）し、洗濯運転の途中で運転を停止する（ステップＳ７４）。
【００３９】
上記した実施例の構成によれば、以下に述べるような作用・効果を奏することができる
。
【００４０】
給湯側接続口２０に対する給水ホースの誤接続状態、又は水道側接続口２１に対する給
湯ホースの誤接続状態を洗濯コースの選択情報とサーミスタ２７による検知温度Ｔｈから
判断し、表示部１８ｂ及びブザー３１により使用者に報知する構成としたので、使用者に
誤接続状態の修正を促し、誤接続状態の継続を防止することができる。また、温水、水道
水、およびこれらの混合水の共通の流路である給水経路にサーミスタ２７を設けたので、
１つのサーミスタ２７を給水経路に設けるという安価な構成により、給湯側接続口２０に
対する給水ホースの誤接続状態、及び前記水道側接続口２１に対する給湯ホースの誤接続
状態の両方を確実に検知することができる。また、水槽４内に給湯される直前又は給湯後
まもなく誤接続状態を検知できるので、水道側接続口に対する給湯ホースの誤接続の場合
でも、温水による布痛みを軽減することができる。さらに、水道側接続口２１に対する給
湯ホースの誤接続状態を確実に判断し、使用者に報知することができるので、延いては給
湯による給水経路の構成部品の劣化を防止することができる。上述したいずれかの誤接続
状態と判断した場合に、洗濯運転を停止する構成としたため、誤接続状態での給湯による
給水経路２６の部品の劣化を防止できる。
【００４１】
給湯器等からの温水、水道水、又はこれらの混合水を水槽４内に給水して実行する洗濯
コースをそれぞれ備え、温水及び水道水による洗濯コースおいては、洗い行程における給
水時に誤接続状態であるか判断し、混合水による洗濯コースにおいては、濯ぎ行程におけ
る給水時に誤接続状態であるか判断する構成としたため、混合時は洗い行程の混合水給水
では誤接続状態を判断できないが、その場合でも水道側給水弁２５しか開放しないすすぎ
行程においても誤接続状態を判断できる。
【００４２】
誤接続状態と判断した場合に、記憶手段であるＥＥＰＲＯＭ３２に誤接続状態を記憶さ
せ、次回電源投入時に表示部１８ｂ及びブザー３１により誤接続状態を報知する構成とし
たため、誤接続状態と判断したうえで運転を継続した場合に、次回運転時にも誤接続状態
を報知し、使用者に修正を促すことができ、延いて誤接続状態の継続に伴う布痛みや給水
部品の劣化を防止することができる。
【００４３】
なお、本発明は上記し且つ図面に示した実施例に限定されず、実施に際して本発明の要
旨を逸脱しない範囲で種々変更して実施可能である。
【００４４】
例えば、洗剤ケース２４を設けずに、給湯ホースからの温水を給湯側給水弁２２と連通
した給湯経路２３を介して直接水槽４内に供給し、水道水を水道側給水弁２５と連通した
給水経路２６を介して直接水槽４内に供給する構成としてもよい。この場合には、サーミ
スタ２７は、給湯器からの温水と水道水との合流後の混合水の水温が検知できる場所であ
れば、給湯経路２３及び水道水給水経路２６に隣接して配設するか、水槽４の底部に配設
するとよい。前者の場合には、上記した効果に加え、温水及び水道水に共通の給水経路が
ない構成であっても、１つのサーミスタ２７で誤接続状態を検知でき、使用者に確実に報
知できる。さらに、後者の場合には、水槽４内に混合して給水した後の混合水温度をサー
ミスタ２７で検知する構成であるため、誤接続状態をより正確に検知することができる。
【００４５】
さらに、洗濯運転として、濯ぎ行程を２回実行する構成とし、その２回目の濯ぎ行程に
おいて、誤接続検知を行う構成としてもよい。
【図面の簡単な説明】
【００４６】
【図１】本発明の第１実施例を示す洗濯機の一部を破断して示す側面図
【図２】洗濯機の上面を一部破断して示す図
【図３】電気的ブロック図
【図４】本発明の一実施例であるＨＯＴコースの洗濯行程を示すフローチャート
【図５】本発明の一実施例のうち濯ぎ行程を示すフローチャート
【図６】本発明の一実施例であるＷＡＲＭコースの洗濯行程を示すフローチャート
【図７】本発明の一実施例であるＣＯＯＬコースの洗濯行程を示すフローチャート
【符号の説明】
【００４７】
４  水槽
７  回転槽
１９  制御回路
２０  給湯側接続口
２１  水道側接続口
２２  給湯側給水弁
２３  給湯経路
２４  洗剤ケース
２５  水道側給水弁
２６  給水経路
２７  サーミスタ
３１  ブザー
３２  ＥＥＰＲＯＭ（記憶手段）
【図１】
2009066190.tif 000003
【図２】
2009066190.tif 000004
【図３】
2009066190.tif 000005
【図４】
2009066190.tif 000006
【図５】
2009066190.tif 000007
【図６】
2009066190.tif 000008
【図７】
2009066190.tif 000009